(57)【要約】【目的】視聴者の広告視聴を促すことができる番組受信装置及び広告視聴推進システムを提供する。【構成】放送事業者装置１は番組の合間に提供企業の商品やサービスなどのコマーシャル（広告）を随時挿入するが、この広告の映像／音声データ部分については、それが広告であることを示す情報を付加する。一方、携帯型受信端末２は、ディジタル放送波により受信したデータに基づいて番組の映像／音声を出力するが、広告の映像／音声データ部分に含まれる前記付加情報により、デコード中の映像／音声データが広告なのか番組本体部分なのかを判断し、広告部分であると判断したときには、広告視聴ポイントをカウントアップする処理を行なう。広告視聴ポイントをネットワーク６を介してポイントサーバ５に送信することで商品やサービスと交換することができる。【選択図】      図１
2004274139.tif 000002
【特許請求の範囲】
【請求項１】
ディジタル放送波による番組又はネットワークを介して配信される番組を受信する受信手段と、デコード中の映像データ及び／又は音声データが広告部分であるかどうかを当該データに付加された付加情報によって判断する判断手段と、広告部分がデコードされたことに対応して広告視聴量を計測する計測手段と、前記広告視聴量を記憶する記憶手段と、広告視聴量を出力する出力手段と、を備えたことを特徴とする番組受信装置。
【請求項２】
請求項１に記載の番組受信装置において、受信・復調により得られたトランスポートストリームを記録する手段と、前記トランスポートストリームを再生する手段と、を備え、広告再生に対しても広告視聴量を計測するように構成されたことを特徴とする番組受信装置。
【請求項３】
請求項１又は請求項２に記載の番組受信装置において、前記判断手段と前記計測手段と前記記憶手段と前記出力手段とが一体構成体を成し、又は前記計測手段と前記記憶手段と前記出力手段とが一体構成体を成し、又は、前記記憶手段と前記出力手段とが一体構成体を成し、一体構成体で受信装置本体に着脱可能に設けられることを特徴とする番組受信装置。
【請求項４】
請求項１乃至請求項３のいずれかに記載の番組受信装置において、所定タイミング又はユーザ操作によって広告視聴量を画面表示する手段を備えたことを特徴とする番組受信装置。
【請求項５】
請求項１乃至請求項４のいずれかに記載の番組受信装置において、前記出力手段は、ネットワーク接続手段を備え、ネットワーク上のサーバに宛てて広告視聴量を送出するように構成されたことを特徴とする番組受信装置。
【請求項６】
請求項１乃至請求項４のいずれかに記載の番組受信装置において、前記出力手段は、無線又は有線による近距離情報通信手段にて外部機器に広告視聴量を出力するように構成されたことを特徴とする番組受信装置。
【請求項７】
請求項１乃至請求項４のいずれかに記載の番組受信装置において、前記出力手段は、着脱可能な情報記録媒体に広告視聴量を出力するように構成されたことを特徴とする番組受信装置。
【請求項８】
請求項１乃至請求項４のいずれかに記載の番組受信装置において、前記出力手段は、当該番組受信装置が利用する電話会社のセンターに発呼処理を行い、回線接続後に広告視聴量を出力するように構成されたことを特徴とする番組受信装置。
【請求項９】
請求項５に記載の番組受信装置とネットワーク上のサーバとから成る広告視聴推進システムであって、前記サーバは、広告視聴量と商品及び／又はサービスとを対応させたデータを備え、前記番組受信装置から送信された広告視聴量にて商品及び／又はサービスとの交換処理を行なうと共に、前記交換に伴い減算処理した広告視聴量又は減算情報を番組受信装置に送信し、番組受信装置は、送信されてきた前記情報に基づいて元の広告視聴量を書き換えるように構成されたことを特徴とする広告視聴推進システム。
【請求項１０】
請求項６に記載の番組受信装置と店舗に置かれる機器とから成る広告視聴推進システムであって、前記機器は番組受信装置から広告視聴量を入力すると共に、商品及び／又はサービスとの交換に伴い減算処理された広告視聴量又は減算情報を番組受信装置に出力し、番組受信装置は、入力した前記情報に基づいて元の広告視聴量を書き換えるように構成されたことを特徴とする広告視聴推進システム。
【請求項１１】
請求項７に記載の番組受信装置と店舗に置かれる機器とから成る広告視聴推進システムであって、前記機器は番組受信装置の情報記録媒体から広告視聴量を読み出すと共に、商品及び／又はサービスとの交換に伴い減算処理された広告視聴量を番組受信装置の情報記録媒体に書き込むことを特徴とする広告視聴推進システム。
【請求項１２】
請求項８に記載の番組受信装置と電話会社のセンターとから成る広告視聴推進システムであって、前記電話会社のセンターは、前記番組受信装置から送信された広告視聴量に応じて通話料金の割引処理を行ない、番組受信装置は広告視聴量の送信後に広告視聴量をリセットする処理を行うように構成されたことを特徴とする広告視聴推進システム。
【発明の詳細な説明】
【０００１】
【産業上の利用分野】
この発明は、番組を受信する番組受信装置及び広告視聴推進システムに関する。
【０００２】
【従来の技術】
ディジタル放送システムにおいては、放送局側で番組に関する情報等を映像や音声に付加して圧縮し、例えばＭＰＥＧ（Ｍｏｖｉｎｇ  Ｐｉｃｔｕｒｅ  Ｅｘｐｅｒｔｓ  Ｇｒｏｕｐ）によって多重化したトランスポートストリームをディジタル変調して送信している。そして、受信装置の側では、受信したディジタル変調信号を復調してトランスポートストリームを生成し、これを映像、音声、その他の情報に分離して解析することによりユーザに番組を提示している。
【０００３】
ところで、一般に、企業等が放送局（番組）側に資金提供を行い、番組の合間に提供企業の商品やサービスなどの広告（コマーシャル：ＣＭ）を挿入するといったことが行われている。このようなテレビ広告の広告効果は非常に高いものであるが、ときに視聴者は、番組中の広告を煩わしく思い、広告中にチャンネルを切り替えてしまうことがある。
【０００４】
視聴者に広告をできるだけ視聴してもらうための技術としては、早送り等の特殊再生時において、広告映像部分の特殊再生を防ぐようにしたものがある（特許文献１参照）。
【０００５】
【特許文献１】
特開２００２−２９０８７８号公報
【０００６】
【発明が解決しようとする課題】
しかしながら、より積極的に視聴者に広告を視聴してもらうための技術の開発が望まれる。
【０００７】
この発明は、上記の事情に鑑み、視聴者の広告視聴を促すことができる番組受信装置及び広告視聴推進システムを提供することを目的とする。
【０００８】
【課題を解決するための手段】
この発明の番組受信装置は、上記課題を解決するために、ディジタル放送波による番組又はネットワークを介して配信される番組を受信する受信手段と、デコード中の映像データ及び／又は音声データが広告部分であるかどうかを当該データに付加された付加情報によって判断する判断手段と、広告部分がデコードされたことに対応して広告視聴量を計測して記憶する記憶手段と、広告視聴量を出力する出力手段と、を備えたことを特徴とする。
【０００９】
上記の構成であれば、広告を視聴することにより広告視聴量が計測され、この広告視聴量を他の機器などに出力することができる。この出力を受けた側から何らかの商品やサービスの提供が得られるとすれば、広告を視聴することに視聴者はメリットを感じ、広告視聴を促すことができる。
【００１０】
受信・復調により得られたトランスポートストリームを記録する手段と、前記トランスポートストリームを再生する手段と、を備え、広告再生に対しても広告視聴量を計測するように構成されているのがよい。また、前記判断手段と前記計測手段と前記記憶手段と前記出力手段とが一体構成体を成し、又は前記計測手段と前記記憶手段と前記出力手段とが一体構成体を成し、又は、前記記憶手段と前記出力手段とが一体構成体を成し、一体構成体で受信装置本体に着脱可能に設けられることとしてもよい。また、所定タイミング又はユーザ操作によって広告視聴量を画面表示する手段を備えていてもよい。
【００１１】
前記出力手段は、ネットワーク接続手段を備え、ネットワーク上のサーバに宛てて広告視聴量を送出するように構成されていてもよい（以下、この項において第１の構成という）。また、前記出力手段は、無線又は有線による近距離情報通信手段にて外部機器に広告視聴量を出力するように構成されていてもよい（以下、この項において第２の構成という）。また、前記出力手段は、着脱可能な情報記録媒体に広告視聴量を出力するように構成されていてもよい（以下、この項において第３の構成という）。また、前記出力手段は、当該番組受信装置が利用する電話会社のセンターに発呼処理を行い、回線接続後に広告視聴量を出力するように構成されていてもよい（以下、この項において第４の構成という）。
【００１２】
また、この発明の広告視聴推進システムは、第１の構成の番組受信装置とネットワーク上のサーバとから成る広告視聴推進システムであって、前記サーバは、広告視聴量と商品及び／又はサービスとを対応させたデータを備え、前記番組受信装置から送信された広告視聴量にて商品及び／又はサービスとの交換処理を行なうと共に、前記交換に伴い減算処理した広告視聴量又は減算情報を番組受信装置に送信し、番組受信装置は、送信されてきた前記情報に基づいて元の広告視聴量を書き換えるように構成されたことを特徴とする。
【００１３】
また、この発明の広告視聴推進システムは、第２の構成の番組受信装置と店舗に置かれる機器とから成る広告視聴推進システムであって、前記機器は番組受信装置から広告視聴量を入力すると共に、商品及び／又はサービスとの交換に伴い減算処理された広告視聴量又は減算情報を番組受信装置に出力し、番組受信装置は、入力した前記情報に基づいて元の広告視聴量を書き換えるように構成されたことを特徴とする。
【００１４】
また、この発明の広告視聴推進システムは、第３の構成の番組受信装置と店舗に置かれる機器とから成る広告視聴推進システムであって、前記機器は番組受信装置の情報記録媒体から広告視聴量を読み出すと共に、商品及び／又はサービスとの交換に伴い減算処理された広告視聴量を番組受信装置の情報記録媒体に書き込むことを特徴とする。
【００１５】
また、この発明の広告視聴推進システムは、第４の構成の番組受信装置と電話会社のセンターとから成る広告視聴推進システムであって、前記電話会社のセンターは、前記番組受信装置から送信された広告視聴量に応じて通話料金の割引処理を行ない、番組受信装置は広告視聴量の送信後に広告視聴量をリセットする処理を行うように構成されたことを特徴とする。
【００１６】
【発明の実施の形態】
以下、この発明の実施形態を図１及び図２に基づいて説明する。
【００１７】
図１はこの実施形態の番組受信装置及び広告視聴推進システムの概要を示した説明図である。このシステムは、放送事業者装置１、視聴者が所持する携帯型受信端末２、ポイントサーバ５、及びネットワーク６によって構成されている。
【００１８】
携帯型受信端末２は、図１に示しているように、例えば携帯電話型の形状を有しており、図２に示すごとく、電池２２１により駆動される。この携帯型受信端末２は、地上波ディジタルチューナ２３０による放送受信により得られた符号化映像・音声データ、或いは、スロット２０１に差し込まれたメモリカード３等から読み出した符号化映像・音声データ、或いは、スロット２０１に差し込まれたＰＨＳデータカード４によりネット上のサイトから例えばストリーミング受信した符号化映像・音声データにより、映像を液晶表示パネル２０２上に映し出すとともに、音声をイヤホン２０３から出力するようになっている。視聴に関する操作ボタン（プレイ／ポーズ、ストップ、送り、音量等）やテンキー等については筐体部に設けている。なお，この実施形態では符号化映像・音声データはＭＰＥＧ４データであるとする。
【００１９】
メモリカード３から読み出したＭＰＥＧ４データやＰＨＳデータカード４によりネット上のサイトからストリーミング受信したＭＰＥＧ４データは、ＰＣＭＣＩＡインターフェイス２２０、及びシステムバス２１３を経てＭＰＥＧ４ビデオデコーダ２０４に供給される。また、地上ディジタル放送を受信するチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ４−ＡＡＣ）２０６に与える。
【００２０】
ＭＰＥＧ４ビデオデコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面、地上ディジタル放送から取得した番組情報によるＥＰＧ画面、データ放送画面等）を液晶表示パネル２０２に表示するＯＳＤ（オンスクリーンディスプレイ）処理も行う。オーディオデコーダ２０６は、ビットストリーム中の音声符号データを復号して音声データを生成する。ＳＤＲＡＭ２１０は、ＭＰＥＧ４ビデオデコーダ２０４の上記処理において利用される。
【００２１】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してイヤホン２０３に与える。
【００２２】
本体キー２１４は先述した視聴に関する操作ボタン（プレイ／ポーズ、ストップ、送り）やテンキー等に相当する。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００２３】
また、近距離無線ネットワークを可能にするために、通信ブロック（無線ＬＡＮブロック、赤外線通信ブロック等）２１６及びインターフェイス２１７が設けられている。更に、ＦｌａｓｈＲＯＭ２１８やＳＤＲＡＭ２１９も備える。電池２２１は二次電池であり、図示しない充電器から電力の供給を得てこれを蓄えるようになっている。携帯電話部２３１は通常の電話のために用いることとしている。
【００２４】
ＣＰＵ２０９は、無線ネットワークのための処理、スロット２０１に装填されたＰＨＳデータカード４によるデータ送受信処理（インターネット接続処理）、受信データに基づく各機能部の制御、ＦｌａｓｈＲＯＭ２１８やＳＤＲＡＭ２１９のリード／ライト制御なども行うようになっている。また、ＣＰＵ２０９は、データ放送データの受信時やネット接続時にブラウザを駆動して各種処理を実行させる。
【００２５】
図１に示す放送事業者装置１は、番組の合間に提供企業の商品やサービスなどのコマーシャル（広告）を随時挿入するが、この広告の映像／音声データ部分については、それが広告であることを示す情報を付加することとする。ネットワークを利用したストリーミング配信による番組配信についても同様とする。一方、携帯型受信端末２は、ディジタル放送波やストリーミング配信により受信したデータに基づいて番組の映像・音声を出力するが、ＣＰＵ２０９は広告の映像／音声データ部分に含まれる前記付加情報により、デコード中の映像／音声データが広告なのか番組本体部分なのかを判断する。そして、広告部分であると判断したときには、広告出力時間を広告視聴ポイントとしてその計測処理を行なう。例えば広告再生時間１５秒を１ポイントとして換算し、例えばＦｌａｓｈＲＯＭ２１８の「広告視聴ポイント」領域の値に加算して更新記憶する。また、例えば、メモリカード３などに録画しておいたＭＰＥＧ４番組を再生する場合にも、ＣＰＵ２０９は前記付加情報を監視し、広告出力時間を測定してポイント計上を行う。なお、ポイント換算は広告再生時間によるものに限らず、例えば広告数としてもよい。
【００２６】
ここで、例えばユーザが、メニュー画面より「現在の広告視聴ポイント」の項目を選択したとする。携帯型受信端末２のＣＰＵ２０９は、ＦｌａｓｈＲＯＭ２１８に記憶されている広告視聴ポイントを読み出しグラフィックスコントローラ２０５へ供給する。グラフィックスコントローラ２０５はＯＳＤ機能により広告視聴ポイント値を液晶表示パネル２０２に表示させる。ユーザが、現在の広告視聴ポイント（例えば、現在１５００ポイント蓄積）を商品やサービスとの交換を希望するときには、例えばメニュー画面の「ポイント交換」の項目を選択することになる。「ポイント交換」が選択されると、ＣＰＵ２０９はスロット２０１にＰＨＳデータカード４が装填されていることを確認し、ネットワーク６を介してポイントサーバ５に接続し、現在の広告視聴ポイントを送信する。
【００２７】
一方、ポイントサーバ５は、図１に例示したとおり、広告視聴ポイントと交換可能な商品やサービスとを対応させたデータベース５ａ及びＣＧＩ（Ｃｏｍｍｏｎ  Ｇａｔｅｗａｙ  Ｉｎｔｅｆａｃｅ）５ｂを備えており、携帯型受信端末２から広告視聴ポイントを受信すると、ポイント対応表５ａを参照して受信した広告視聴ポイントで交換可能な商品やサービスを抽出してＨＴＭＬファイルを作成し、このファイルをネットワーク６を介して携帯型受信端末２に送信することになる。ユーザは、例えば、１５００ポイントで交換可能な「ポスター」、「映画鑑賞券」・・・のなかから所望の商品等（例えば、映画鑑賞券）を選択して決定キーを押下すると、携帯型受信端末２は、「映画鑑賞券」を購入する情報をポイントサーバ５に送信する。そして、ポイントサーバ５は、最初に受信した現在の広告視聴ポイントである１５００ポイントから「映画鑑賞券」の交換ポイントとなる１０００ポイントを減算した５００ポイントを新たな広告視聴ポイントとして携帯型受信端末２に送信する。携帯型受信端末２のＣＰＵ２０９は、新たな広告視聴ポイントである「５００ポイント」を示す情報に基づき、ＦｌａｓｈＲＯＭ２１８の「広告視聴ポイント」を更新し（１５００ポイント→５００ポイント）、広告視聴ポイント更新完了を示す情報をポイントサーバ５へ送信する。また、ポイントサーバ５の側では、「映画鑑賞券」の発送手続き、或いは、「映画鑑賞券」に相当する情報（バーコード情報等）を携帯型受信端末２に送信する処理を行うことになる。なお、減算した広告視聴ポイントを携帯型受信端末２に送信するのではなく、減算情報を携帯型受信端末２に送信し、携帯型受信端末２において広告視聴ポイントの減算処理を行なうようにしてもよい。
【００２８】
上記説明においては、ユーザがメニュー画面より現在の広告視聴ポイントを表示させることとしたが、例えば、定期的に或いは広告視聴ポイントが一定量溜まった場合などに、ＯＳＤ機能を用いて番組受信中の画面に現在の広告視聴ポイントの値を示す文字を重畳してユーザに提示することとしてもよい。
【００２９】
また、上記の説明においては、携帯型受信端末２がネットワーク６を介してポイントサーバ５と接続し、広告視聴ポイントと商品等とを交換する処理を例示したが、これに限るものではない。例えば、商店のレジ等に赤外線通信端末等を備え、通信ブロック２１６によって広告視聴ポイントを上記通信端末に送信することとしてもよい。通信端末はレジスターと一体化されており、商品購入合計金額から広告視聴ポイントに対応した金額を減算する処理を行なう。また、通信端末は使用した広告視聴ポイントを減じた残りの広告視聴ポイント又は減算情報を携帯型受信端末２に送信する。携帯型受信端末２は通信端末から送信された広告視聴ポイント又は減算情報に基づいてＦｌａｓｈＲＯＭ２１８の内容を書き換えることになる。
【００３０】
また、メモリカード３などの着脱可能な情報記録媒体に広告視聴ポイントを記憶させることとし、この情報記録媒体をポイント交換に用いてもよい。例えば、商店のレジ等に読取端末を備え、この読取端末にて情報記録媒体から広告視聴ポイントを読み取る。読取端末はレジスターと一体化されており、商品購入合計金額から広告視聴ポイントに対応した金額を減算する処理を行なう。また、読取端末は使用した広告視聴ポイントを減じた残りの広告視聴ポイントを情報記録媒体に記録する処理を行なう。
【００３１】
また、携帯型受信端末２は契約電話会社が指定する電話番号（ここでは電話会社のサービスセンターの電話番号とする）に例えば定期的に発呼処理を行い、回線接続後に広告視聴量を送信することとしてもよい。前記電話会社のサービスセンターは、携帯型受信端末２から送信された広告視聴量に応じて通話料金の割引処理を行なう。そして、携帯型受信端末２は広告視聴量の送信後に広告視聴量をリセットするようになっていてもよい。
【００３２】
なお、デコード中の映像データ及び／又は音声データが広告部分であるかどうかを当該データに付加された付加情報によって判断する判断手段と、広告部分がデコードされたことに対応して広告視聴量を計測する計測手段と、広告視聴量を記憶する記憶手段と、前記通信ブロック２１６等に相当する出力手段とが一体構成体（モジュール）を成し、この一体構成体で携帯型受信端末２に着脱可能に設けられることとしてもよい。前記判断手段は例えば携帯型受信端末２においてデコード対象となっているデータに基づいて判断処理を行い、前記計測手段は判断結果に基づいて計測処理を行い、前記記憶手段はＦｌａｓｈＲＯＭ２１８に相当して前記広告視聴量を記憶するようになっていればよい。そして、携帯型受信端末２は上記処理のためにデコード対象となるデータを前記判断手段に提供する構成となっていればよい。
【００３３】
また、広告視聴量を計測する計測手段と、広告視聴量を記憶する記憶手段と、前記通信ブロック２１６に相当する出力手段とが一体構成体（モジュール）を成し、この一体構成体で携帯型受信端末２に着脱可能に設けられることとしてもよい。前記計測手段は携帯型受信端末２が判断した広告判断結果に基づいて計測処理を行い、前記記憶手段はＦｌａｓｈＲＯＭ２１８に相当して前記広告視聴量を記憶するようになっていればよい。そして、携帯型受信端末２は上記処理のために広告部分を判断してその判断結果を前記計測手段に提供する構成となっていればよい。
【００３４】
また、広告視聴量を記憶する記憶手段と、前記通信ブロック２１６に相当する出力手段とが一体構成体（モジュール）を成し、この一体構成体で携帯型受信端末２に着脱可能に設けられることとしてもよい。前記記憶手段はＦｌａｓｈＲＯＭ２１８に相当して携帯型受信端末２が計測して提供してくる広告視聴量を記憶するようになっていればよい。そして、携帯型受信端末２は上記処理のために広告部分の判断及び広告量情報の計測を行い、この広告量情報を前記記憶手段に提供する構成となっていればよい。
【００３５】
上記一体構成体となる専用ハード品を携帯型受信端末２の購入（契約）時に提供することとしてもよい。また、以上の説明では、番組受信装置を携帯型受信端末２として説明したが、自宅に設置される固定型の番組受信装置においても、上述した広告視聴チェック機能を備えることができる。また、前記の専用ハード品が携帯型受信端末２でも固定型の番組受信装置でも使用できるものとすれば、自宅で固定配置用の番組受信装置にて番組を視聴するときには、前記専用ハード品を固定配置用の番組受信装置に装着し、外出するときには専用ハード品を携帯型受信端末２に装着するといったことが可能となる。
【００３６】
また、広告の提供者（○○会社）、或いは広告の種類（ビールの広告、化粧品の広告等）などを識別するための識別情報も付加して送信することで、広告の提供者ごと、或いは広告の種類ごとに広告視聴量を生成することができ、このように区別された広告視聴量によってより細かなサービス等を受けることも可能である。また、広告の提供者が自身の広告について高いポイントを与えること等ができるように、ポイント換算情報（例えば、広告視聴時間×２におけ「×２」の情報など）を送信したり、或いは、広告であることを示す情報としてポイント情報自体を送信するようにしてもよい。
【００３７】
【発明の効果】
以上説明したように、この発明によれば、視聴者は広告視聴により所謂ポイント的なものを溜めることができ、これによって商品やサービス等の特典を享受することが可能となるので、視聴者に広告視聴を促すことができる。
【図面の簡単な説明】
【図１】この発明の実施形態の放送視聴システムを例示した概略図である。
【図２】この発明の実施形態の携帯型受信端末を示したブロック図である。
【符号の説明】
１      放送事業者装置
２      携帯型受信端末
２０２  液晶表示パネル
２０４  ＭＰＥＧ４ビデオデコーダ
２０９  ＣＰＵ
３      メモリカード
４      ＰＨＳデータカード
５      ポイントサーバ
６      ネットワーク
【図１】
2004274139.tif 000003
【図２】
2004274139.tif 000004